(57)【要約】      （修正有）【課題】口ゴム部のない靴下において、ふくらはぎの締め付け感がなく、しかも靴下のずれを効果的に防止することができる靴下の提供。【解決手段】脚部１、踵部２、足甲部３と足底部４、爪先部５から構成される靴下であり、脚部１の基端の履き口１１には口ゴム部が設けられていないものである。脚部１の先端寄りの足首部６には、口ゴム用弾性糸を挿通して編成された、締め付け部が形成されたものである。【選択図】図１
0003131035.tif 000002
【実用新案登録請求の範囲】
【請求項１】
基端に履き口を備えた脚部と、この脚部の先端側に設けられた踵部と、踵部の先端側に設けられた足甲部及び足裏部と、足甲部及び足裏部の先端に設けられた爪先部とを備え、脚部の基端の履き口には口ゴム部が設けられていない靴下において、
脚部の基端には口ゴム用弾性糸を挿通して編成された口ゴム部が形成されておらず、脚部の先端寄りの足首部に、口ゴム用弾性糸を挿通して編成された締め付け部が形成されたことを特徴とする口ゴム部のない靴下。
【請求項２】
上記の締め付け部は、脚部と踵部との境界から基端側へ２〜５cmの範囲内に形成されたものであることを特徴とする請求項１記載の口ゴム部のない靴下。
【請求項３】
脚部の基端の履き口には袋編部が形成され、この袋編部にはポリウレタン伸縮糸を添え糸として編み込んであることを特徴とする請求項２記載の口ゴム部のない靴下。
【考案の詳細な説明】
【技術分野】
【０００１】
本願考案は、靴下、特に、口ゴム部のない靴下に関するもである。
【背景技術】
【０００２】
従来、靴下、特にソックスにおいては、靴下本体及び履き口に糸ゴムを編み込んで締め付けをすることにより靴下のずれを防止していた。ところが、このような靴下を長時間にわたって履いた場合に、靴下によって締め付けられ血液の循環を阻害する原因となり、また、履く人の足よりかなり口径が小さく形成されることから、履き難いという欠点があった。
そこで、特許文献１に示すような口ゴム部のない靴下が提案され実用化されている。この種の靴下は、ふくらはぎ付近への締め付けが弱く、長時間の着用後にもゴムの後がふくらはぎに付かない点で好まれているが、口ゴム部のない靴下には、着用中にずれが生じ易いとい声が聞かれるなど、改善すべき点が残されている。
【０００３】
【特許文献１】登録実用新案第３０７１８７３号公報
【考案の開示】
【考案が解決しようとする課題】
【０００４】
本願考案は、口ゴム部のない靴下において、ふくらはぎの締め付け感がなく、しかも靴下のずれを効果的に防止することができる靴下の提供を目的とする。
【課題を解決するための手段】
【０００５】
本願考案の創作者が従来の口ゴム部のない靴下について考察したところ、靴下のずれが生ずるとの指摘を受けるものは、靴との相性が悪く、歩行中に前にズレていってしまうという場合が大半であった。即ち、靴下のずれは、足甲部及び足裏部と、靴との間で生じており、これを脚部の上端の口ゴム部で締め付けることによって、靴下前端のずれを抑えていたり、或いは、口ゴム部のない靴下にあっては、脚部全体と履き口でずれを抑制していたものであった。
そこでさらに研究開発を進めたところ、本願考案の創作者は、足甲部及び足裏部でずれが生じているのであれば、これに近い位置でずれを抑制することが、有効なずれ防止に最も効果的であり、且つ、口ゴム部がなくとも十分安定して着用できることを知見して、本願考案を完成させたものである。
本願の請求項１に係る考案は、基端に履き口を備えた脚部と、この脚部の先端側に設けられた踵部と、踵部の先端側に設けられた足甲部及び足裏部と、足甲部及び足裏部の先端に設けられた爪先部とを備え、脚部の基端の履き口には口ゴム部が設けられていない靴下において、脚部の先端寄りの足首部に、口ゴム用弾性糸を挿通して編成された締め付け部が形成されたことを特徴とする口ゴム部のない靴下を提供する。
本願の請求項２に係る考案は、上記の締め付け部は、脚部と踵部との境界から基端側へ２〜５cmの範囲内に形成されたものであることを特徴とする請求項１記載の口ゴム部のない靴下を提供する。
本願の請求項３に係る考案は、脚部の基端の履き口には袋編部が形成され、この袋編部にはポリウレタン伸縮糸を添え糸として編み込んであることを特徴とする請求項２記載の靴下を提供するものである。
【考案の効果】
【０００６】
本願の請求項１に係る考案は、脚部の基端には口ゴム用弾性糸を挿通して編成された口ゴム部が形成されておらず、脚部の先端寄りの足首部に、口ゴム用弾性糸を挿通して編成された締め付け部が形成されたことを特徴とするものであるため、靴と靴下間で生ずる靴下のずれを足首部で止めることができ、脚部の基端には口ゴム用弾性糸を挿通して編成された口ゴム部が形成されていない場合でも、有効に靴下のずれを防止し得る。特に、足首部の先端側では、踵が突出していると共に脚部と足先部との間の屈曲位置となっているため、先端に向かうに従って、その周囲長さが急に大きくなる。そのため、足首部（具体的には、脚部と踵部との境界から基端側へ２〜５cmの範囲内）に口ゴム用弾性糸を挿通した締め付け部を設けることによって、履き口に口ゴム用弾性糸を挿通した場合よりも、より有効に靴下の前方へのずれを防止することができる。さらに、脚部の基端の履き口には袋編部が形成され、この袋編部にはポリウレタン伸縮糸を編み込んでおくことによって、足首部よりも基端側における靴下のずれも有効に防止し得る。
【考案を実施するための最良の形態】
【０００７】
以下、図面に基づき本願考案の実施の形態を説明する。
図１は、本願考案の実施の形態に係る靴下の側面図である。
【０００８】
この靴下は、基端に履き口１１を備えた脚部１と、この脚部１の先端側に設けられた踵部２と、踵部２の先端側に設けられた足甲部３及び足裏部４と、足甲部３及び足裏部４の先端に設けられた爪先部５とを備えた靴下本体が、常法に従って連続して編成されたものである。
靴下の種類は、成人男子用の靴下、成人女子用の靴下、年少者用の靴下など、特に限定されない。編地の編成は平編、リブ編、パイル編、ジャガード編、リンクス編など、適宜変更して実施し得る。
【０００９】
脚部１の基端（上端）の履き口１１には、編地が折り返されて２重になった袋編部１２が形成されている。この袋編部にはポリウレタン伸縮糸が添え糸として編み込まれているが（添え糸編）、同部分には口ゴム用弾性糸を挿通して挿入編（Insert stitch）された口ゴム部が形成されておらず、ふくらはぎへの締め付けは緩やかである。
【００１０】
詳しくは、挿入編（Insert stitch）は、編地中に編目を作らずにゴム糸などの弾性糸を編み込んだものであるため、弾性糸の弾性が直接周長さを小さくする方向に作用し、ふくらはぎへの締め付け力が大きくなり、その結果、上記のような従来の口ゴムの問題が発生していた。ところが、これに対して、本願の履き口１１は、表糸に裏糸（ポリウレタン伸縮糸）を添えて共に編み目を形成する添え糸編（Plating stitch）であるため、その収縮作用はループを小さくする方向に作用し、直接周長さを小さくする方向には作用せず、ふくらはぎへの締め付け力は比較的緩やかなものであり、その結果、上記のような従来の口ゴムの問題を防止するものである。
【００１１】
そして、脚部１の先端寄りの足首部６には、口ゴム用弾性糸（太いスパンデックス糸やゴム糸）を挿通して編成された締め付け部が形成されている。この足首部６の締め付け部は、編地中に編目を作らずに口ゴム用弾性糸を編み込んだ挿入編であるため、弾性糸の弾性が直接周長さを小さくする方向に作用し、有効に靴下のずれを防止する。特に、この締め付け部は、一番細い足首部６に形成されており、先端に向かうに従って、その周囲長さが急に大きくなる。そのため、足首部（具体的には、脚部１と踵部２との境界２１から基端側へ２〜５cmの範囲内）に口ゴム用弾性糸をさほどきつい伸縮性を持たせなくとも、ずれ止めの効果を発揮させることができる。従って、これによって、靴下全体に十分なずれ止めをなすと同時に、履き心地の改善された靴下を提供することができたものである。
【図面の簡単な説明】
【００１２】
【図１】本願考案の実施の形態に係る靴下の側面図である。
【符号の説明】
【００１３】
１    脚部
２    踵部
３    足甲部
４    足底部
５    爪先部
６    足首部
１１  履き口
１２  袋編部
２１  脚部と踵部の境界
【図１】
0003131035.tif 000003